(57)【要約】【課題】タイマー設定時間の増減を可能にするとともに、長時間のタイマー設定を行いたい場合に、早く目的の設定時間に設定できる加熱調理器を提供することを目的とする。【解決手段】加熱装置２の操作部６は、火力を増加させるアップキー１０と、火力を減少させるダウンキー９と、タイマー時間を設定するためのタイマー設定モードに移行するタイマーキー１５と、タイマー時間または残時間を表示するタイマー時間表示装置７を有し、未タイマー設定時にタイマーキー１５を押すとタイマー設定モードに移行し、アップキー１０を押すとタイマー最小時間を、ダウンキー９を押すとタイマー最大時間を設定するようにしたものである。これによって、アップキー１０とダウンキー９により、設定時間の増減が可能となるとともに、長時間のタイマー設定を行う場合には、ダウンキー９の操作により、いち早く目的の設定時間に設定できるものである。【選択図】図１
2008258047.tif 000002
【特許請求の範囲】
【請求項１】
加熱装置と、加熱装置の操作部と、操作部からの信号を受けて加熱装置の火力を複数段階に制御する制御装置とを備え、前記操作部は火力を増加させるアップキーと、火力を減少させるダウンキーと、タイマー時間を設定するためのタイマー設定モードに移行するタイマーキーと、タイマー時間または残時間を表示するタイマー時間表示装置を有し、未タイマー設定時にタイマーキーを押すとタイマー設定モードに移行し、アップキーを押すとタイマー最小時間を、ダウンキーを押すとタイマー最大時間を設定するようにした加熱調理器。
【請求項２】
タイマー最小時間からダウンキーを押した場合には、タイマー未設定表示をする請求項１に記載の加熱調理器。
【請求項３】
タイマー最大時間からアップキーを押した場合には、タイマー未設定表示をする請求項１に記載の加熱調理器。
【請求項４】
加熱中にタイマー未設定表示が表示されてから、アップキー、ダウンキーのいずれも所定時間押されない状態が続くと、タイマー未設定表示を消し、タイマー設定モードを解除し加熱を継続する請求項２または３に記載の加熱調理器。
【請求項５】
タイマー未設定表示を表示中にアップキーを押すと、タイマー最小時間を表示する請求項２〜４のいずれか１項に記載の加熱調理器。
【請求項６】
タイマー未設定表示を表示中にダウンキーを押すと、タイマー最大時間を表示する請求項２〜４のいずれか１項に記載の加熱調理器。
【請求項７】
タイマー最小時間からダウンキーを押した場合、時間表示を消すとともに、タイマー設定モードを解除し、加熱中は加熱を継続する請求項１に記載の加熱調理器。
【請求項８】
タイマー最大時間からアップキーを押した場合、時間表示を消すとともに、タイマー設定モードを解除し、加熱中は加熱を継続する請求項１に記載の加熱調理器。
【請求項９】
タイマー設定モード中、アップキーは長押しすることによりタイマー時間を所定刻み時間で増加させる請求項１、３、８のいずれか１項に記載の加熱調理器。
【請求項１０】
タイマー設定モード中、ダウンキーは長押しすることによりタイマー時間を所定刻み時間で減少させる請求項１、２、７のいずれか１項に記載の加熱調理器。
【請求項１１】
タイマー設定モード中、アップキーまたはダウンキーの長押しにより設定時間がタイマー未設定表示となった場合には、一旦長押し状態が解除されない限りタイマー時間表示に移行しない請求項５または６に記載の加熱調理器。
【請求項１２】
タイマー設定モード中、アップキーまたはダウンキーの長押しにより設定時間がタイマー未設定表示となった場合には、所定時間長押し状態が解除されない場合、加熱を停止させる請求項１１に記載の加熱調理器。
【発明の詳細な説明】
【技術分野】
【０００１】
本発明は、家庭用や業務用のキッチンなどにおいて用いられる加熱調理器に関する。
【背景技術】
【０００２】
従来、この種の加熱調理器において、加熱時間のタイマー設定は、タイマーキーを押すことにより、タイマー時間表示装置にタイマー時間が表示されるものであり、タイマーキーを押すたびにタイマー時間を増加させ、所定のタイマー時間に設定することができる（例えば、特許文献１参照）。
【特許文献１】特許第３２６４２３５号公報
【発明の開示】
【発明が解決しようとする課題】
【０００３】
しかしながら、前記従来の構成では、タイマー時間の設定は、タイマーキーを押すことで時間を増加させるのみで、減少させることができない。そのため、使用者が望む設定時間（例えば、３時間）を超えてしまった場合、そのままタイマーキーを押し続けて時間を増加させ、ループを再度繰り返し設定時間まで合わせるか、一旦タイマー取消キーを押し、もう一度タイマーキーを押して設定し直すしかないものであった。また、長時間のタイマー設定を行いたい場合（例えば、９時間）、タイマーキーを押し続けなければならず、使い勝手が悪いものであった。
【０００４】
本発明は、前記従来の課題を解決するもので、タイマー設定には、設定時間の増減を可能にするとともに、長時間のタイマー設定を行いたい場合には、いち早く目的の設定時間に設定できるもので、タイマーの使い勝手を向上させる加熱調理器を提供することを目的とする。
【課題を解決するための手段】
【０００５】
前記従来の課題を解決するために、本発明の加熱調理器は、加熱装置の操作部は火力を増加させるアップキーと、火力を減少させるダウンキーと、タイマー時間を設定するためのタイマー設定モードに移行するタイマーキーと、タイマー時間または残時間を表示するタイマー時間表示装置を有し、未タイマー設定時にタイマーキーを押すとタイマー設定モードに移行し、アップキーを押すとタイマー最小時間を、ダウンキーを押すとタイマー最大時間を設定するようにしたものである。
【０００６】
これによって、タイマー設定時には、アップキーとダウンキーにより、設定時間の増減が可能となるとともに、長時間のタイマー設定を行いたい場合にはダウンキーにより、いち早く目的の設定時間に設定できるものであり、タイマーの使い勝手を向上させることができる。
【発明の効果】
【０００７】
本発明の加熱調理器は、設定時間の増減を可能にするとともに、長時間のタイマー設定を行いたい場合には、いち早く目的の設定時間に設定できるもので、タイマーの使い勝手を向上させることができる。
【発明を実施するための最良の形態】
【０００８】
第１の発明は、加熱装置と、加熱装置の操作部と、操作部からの信号を受けて加熱装置の火力を複数段階に制御する制御装置とを備え、前記操作部は火力を増加させるアップキーと、火力を減少させるダウンキーと、タイマー時間を設定するためのタイマー設定モードに移行するタイマーキーと、タイマー時間または残時間を表示するタイマー時間表示装置を有し、未タイマー設定時にタイマーキーを押すとタイマー設定モードに移行し、アップキーを押すとタイマー最小時間を、ダウンキーを押すとタイマー最大時間を設定するようにした加熱調理器とする。これによって、タイマー設定時には、アップキーとダウンキーにより、設定時間の増減が可能となるとともに、長時間のタイマー設定を行いたい場合にはダウンキーにより、いち早く目的の設定時間に設定できるもので、タイマーの使い勝手を向上させることができる。
【０００９】
第２の発明は、特に、第１の発明において、タイマー最小時間からダウンキーを押した場合には、タイマー未設定表示をすることにより、タイマー時間が０になったことと区別することができ、誤ってアップキーを押したときなどに、タイマー取消キーがなくともタイマーを取り消す状態にできる。
【００１０】
第３の発明は、特に、第１の発明において、タイマー最大時間からアップキーを押した場合には、タイマー未設定表示をすることにより、タイマー時間が０になったことと区別することができ、誤ってダウンキーを押したときなどに、タイマー取消キーがなくともタイマーを取り消す状態にできる。
【００１１】
第４の発明は、特に、第２または第３の発明において、加熱中にタイマー未設定表示が表示されてから、アップキー、ダウンキーのいずれも所定時間押されない状態が続くと、タイマー未設定表示を消し、タイマー設定モードを解除し加熱を継続することにより、誤ってアップキーあるいはダウンキーが押されたときや、タイマー設定による加熱を停止したい場合に、通常の加熱のみに戻すとともにタイマー未設定表示の表示を消すことで、タイマー加熱が取り消されたことを使用者に視覚的に知らしめることができる。
【００１２】
第５の発明は、特に、第２〜第４のいずれか１つの発明において、タイマー未設定表示を表示中にアップキーを押すと、タイマー最小時間を表示することにより、ダウンキーキーを誤って押した場合にも複雑な操作なしに、容易に所望のタイマー時間を設定することができる。
【００１３】
第６の発明は、特に、第２〜第４のいずれか１つの発明において、タイマー未設定表示を表示中にダウンキーを押すと、タイマー最大時間を表示することにより、アップキーを誤って押した場合にも複雑な操作なしに、容易に所望のタイマー時間を設定することができる。
【００１４】
第７の発明は、特に、第１の発明において、タイマー最小時間からダウンキーを押した場合、時間表示を消すとともに、タイマー設定モードを解除し、加熱中は加熱を継続することにより、タイマー表示が消えるので、加熱を停止させることなくタイマー設定が取り消されたことを容易に理解することができる。
【００１５】
第８の発明は、特に、第１の発明において、タイマー最大時間からアップキーを押した場合に、時間表示を消すとともに、タイマー設定モードを解除し、加熱中は加熱を継続することにより、タイマー表示が消えるので、加熱を停止させることなくタイマー設定が取り消されたことを容易に理解することができる。
【００１６】
第９の発明は、特に、第１、第３、第８の発明のいずれか１つの発明において、アップキーは長押しすることによりタイマー時間を所定刻み時間で増加させることにより、長押しをすることで通常よりも早い間隔で時間を増加させることが可能となり、使い勝手を向上させることができる。
【００１７】
第１０の発明は、特に、第１、第２、第７の発明のいずれか１つの発明において、ダウンキーは長押しすることによりタイマー時間を所定刻み時間で減少させることにより、長押しをすることで通常よりも早い間隔で時間を減少させることが可能となり、長時間のタイマー設定を行いたい場合などの使い勝手を向上させることができる。
【００１８】
第１１の発明は、特に、第５または第６の発明において、タイマー設定モード中、アップキーまたはダウンキーの長押しにより設定時間がタイマー未設定表示となった場合には、一旦長押し状態が解除されない限りタイマー時間表示に移行しないことにより、タイマーキーの故障や誤動作により長押し状態になった場合、意図せず長時間のタイマー設定になるのを防ぐことができる。
【００１９】
第１２の発明は、特に、第１１の発明において、タイマー設定モード中、アップキーまたはダウンキーの長押しにより設定時間がタイマー未設定表示となった場合には、所定時間長押し状態が解除されない場合、加熱を停止させることにより、タイマーキーの故障や誤動作により長押し状態になった場合、意図せず長時間のタイマー設定になるのを防ぐことができるとともに、所定時間長押しが継続する場合は異常として加熱を停止させるので、より安全性を保つことができる。
【００２０】
以下、本発明の実施の形態について、図面を参照しながら説明する。なお、この実施の形態によって本発明が限定されるものではない。
【００２１】
（実施の形態）
図は、本発明の実施の形態における加熱調理器として誘導加熱調理器を例示している。
【００２２】
図１に示すように、商用電源１に接続されている加熱装置２は、鍋などを誘導加熱するための加熱コイル３と加熱コイル３に高周波電流を流すインバータ回路４を有する。制御装置５は、加熱装置２の操作部６からの信号を受けて、加熱装置２の火力を「弱」〜「強」の８段階の制御するようにインバータ回路４を制御している。制御装置５は、タイマー時間を段階的に増加あるいは減少させる第１制御部５ａと、タイマー時間の増加または減少を停止させ第２制御部５ｂと、タイマーモードを終了させる第３制御部５ｃとを有する。
【００２３】
操作部６は、タイマー時間表示装置７、火力表示装置８、ダウンキー９、アップキー１０、加熱切／入キー１１、タイマーキー１５を有する。タイマー時間表示装置７はタイマー時間または残時間を表示し、ＬＥＤやＬＣＤからなる。火力表示装置８はＬＥＤからなる。タイマー時間は、使用者が設定する時間であり、残時間はタイマー時間が０になるまでの残り時間である。ダウンキー９とアップキー１０は、通常火力のダウンとアップを操作するもので、火力表示装置８にその表示がなされる。加熱切／入キー１１は加熱のＯＮ／ＯＦＦ操作をする。
【００２４】
タイマーキー１５はタイマー設定モードのＯＮ／ＯＦＦ操作を行う。また、ブザー、表示などからなる報知装置１４は、各キーの受付や異常時の警告報知時に動作する。長押し計時装置１６は、タイマー設定モード中、アップキー１０またはダウンキー９が連続で押されている時間を計時するものである。
【００２５】
以上のように構成された加熱調理器について、以下その動作、作用を説明する。
【００２６】
まず、加熱を行うには、使用者が加熱切／入キー１１を押す。すると設定火力が「５」となるように操作部６から制御装置５に信号が送られ、制御装置５がインバータ回路４を制御するとともに、火力表示装置８には「弱」から「５」までのＬＥＤが点灯する。ここで、火力の「弱」、１、２、３、４、５、６、「強」はそれぞれ約１２０Ｗ、約２３５Ｗ、約３７０Ｗ、約５００Ｗ、約７００Ｗ、約１０００Ｗ、約１４５０Ｗ、約２０００Ｗに設定されている。そして、ダウンキー９やアップキー１０により任意の火力に設定変更することが可能であり、設定変更に合わせて火力表示装置８に火力が表示される。また、加熱を終了するときは再度加熱切／入キー１１を押す。
【００２７】
また、加熱装置２は、切り忘れ防止のしきい値時間として例えば４５分を設定し、何も操作されていない状態が４５分続くと切り忘れ防止として、加熱停止させる機能を有している。さらに使用者は、タイマー加熱により、設定された時間後に加熱の自動オフをさせたい場合にタイマーを設定できる。タイマーキー１５を押すと、タイマー設定モードになり、タイマー加熱でない場合、つまりタイマー時間表示装置７に何も時間表示されていない場合には、タイマー未設定表示として「−−−」を点滅表示させ、タイマー加熱中はタイマー時間表示装置７に表示されている残時間を点滅させる。タイマー時間表示装置７の表示が点滅している状態で、アップキー１０が押されると、タイマー時間として１分が点滅表示される。
【００２８】
そして、アップキー１０が押されるたびにタイマー時間が増加し、最大９時間３０分まで設定できる。また、ダウンキー９を押すとタイマー時間表示装置７で点滅表示しているタイマー時間が減少する。そして、所定のタイマー時間が点滅表示したところで、再度タイマーキー１５を押すとタイマー時間が点滅から点灯に変わり、タイマー時間が確定する。タイマー時間が確定している状態での加熱時は、アップキー１０およびダウンキー９ともに、火力のアップ、ダウンとして動作する。
【００２９】
通常、各キーは０．１秒でそのキーが押されたと認識するが、それ以上は長押しと判断し、例えばアップキー１０を長押ししても、火力がアップするのは１段階のみである。しかし、タイマー設定モード中のアップキー１０とダウンキー９は、長押しを検知すると一定時間間隔毎に、すなわち、０．２秒間隔毎にタイマー時間を増加または減少させる。なお、長押し時のタイマー時間の増減を一定間隔としたが、段階的に短くして行ってもよい。
【００３０】
タイマー時間が長時間になれば、タイマー設定時間の５分や１０分の違いはあまり意味がない。そのため、タイマーの時間増加刻みは、１分から２０分までは１分刻み、２０分から１時間までは５分刻み、１時間から３時間までは１０分刻み、３時間から９時間３０分までは３０分刻みの設定になっている。また、タイマーは加熱の有無に関わらず設定可能である。
【００３１】
次に、図２、図３を用いて、タイマー設定モード中のアップキー１０およびダウンキー９が押されたときにタイマー時間表示装置７に表示される状態を説明する。
【００３２】
まず、図２において、状態２０はタイマー時間が設定されていない未タイマー設定時の状態である。このとき加熱装置２の動作の有無はどちらでもよい。状態２０でタイマーキー１５が押されるとタイマー未設定表示として「−−−」を点滅表示する（状態２１）。さらに、その状態からアップキー１０が押されるとタイマー時間表示装置７にタイマー最小時間として１分が点滅表示される（状態２２）。さらにアップキー１０が押されるとタイマー時間表示装置７の表示は２分を点滅表示する（状態２３）。以下同様にタイマー時間はアップキー１０を押すごとに９時間３０分までは、所定の増加刻みで時間を増やすことができる。
【００３３】
同様に、状態２１からダウンキー９が押されるとタイマー時間表示装置７がタイマー最大時間として９時間３０分と点滅表示する（状態２６）。さらにダウンキー９が押されるとタイマー時間表示装置７の表示は９時間を点滅表示する（状態２５）。以下同様にダウンキー９を押すごとに１分まで、所定の減少刻みで時間を減少させることができる。これによりタイマー時間を長時間合わせたいときには、１分から時間を増加させなくてもダウンキー９にて最大時間から時間を減らすことができるので、より少ない回数押しあるいは短い時間でタイマーをあわせることができる。
【００３４】
例えば、タイマー時間を９時間にしたい場合など、アップキー１０では数十回押す、あるいは数秒間押し続けなければならないが、ダウンキー９を使用すればタイマーキー１５と合わせて３回押しで設定することができる。また、アップキー１０とダウンキー９とはタイマー時間合わせ中、どちらも使用できるので、例えば、状態２２と状態２３の間を行き来でき、所望のタイマー時間を行き過ぎた場合などにも戻ることができる。特に、３時間以上の場合は設定時間刻みが３０分であり、例えば、３時間を設定しようとしたときに誤ってアップキー１０を押しすぎて３時間３０分になった場合でも、その状態からダウンキー９を１回押せば３時間にすることができるのでタイマーを取り消して再度タイマー時間を合わせなおさなくても良い。
【００３５】
次に、図３について説明する。図３における状態としては、図２と同じである。図３では状態２６からアップキー１０を押す、あるいは状態２２からダウンキー９を押すと、タイマー未設定表示「−−−」を点滅表示する（状態２７）ようにしている。さらに、タイマー未設定表示「−−−」の点滅表示状態（状態２７）で所定時間（ここでは１０秒間）アップキー１０あるいはダウンキー９が押されない状態が継続すれば、タイマーが取り消されたとして状態２０に移行する。このとき、加熱装置２により加熱中であれば、タイマー設定のみを取り消す。これによりタイマー取消のためのキーがなくても、タイマー増加および減少キーのみでタイマーを取り消すことができ、キーを減らすことが可能である。
【００３６】
また、図４に示すように、状態２６からアップキー１０を押したときや、状態２２位置からダウンキー９を押した場合に、状態２０に移行するようにしてもよい。この場合、状態２０に戻った段階で、タイマー表示時間が消えるので取り消されたことを容易に知らしめることができる。
【００３７】
さらに、図３のタイマー未設定表示「−−−」（状態２１）からアップキー１０を押すとタイマー時間１分を表示する（状態２２）。同様にタイマー未設定表示「−−−」（状態２１）からダウンキー９を押すと９時間３０分を表示する（状態２６）。これにより、アップキー１０とダウンキー９が隣り合ってある場合などで、意図するキーと反対のキーを押してしまったときなど、容易に所望の時間に合わせることができ、使い勝手を向上できる。
【００３８】
また、タイマー設定モード中のアップキー１０、ダウンキー９のみ長押しを有効としているので、所望の設定時間に合わせたいときに、何回もキーを押す動作を行わなくても、押し続けることでタイマー時間を設定できる。
【００３９】
しかし、仮にアップキー１０が押し続けられると状態２６から状態２１と繰り返され続けしまう。この場合、もし、キーの故障で押し続けられる状態になった場合、キー操作がされ続けており、切り忘れ防止の４５分が働かない状態となってしまう。そのため長押しにより状態２６から状態２１、または状態２２から状態２１になった場合には、状態２１から一旦長押しが解除されない限り、状態２１から状態２２または状態２１から状態２６へは移行しないようにする。これにより故障などでキーが長押し状態になってもタイマー時間が回り続けることを防止できる。さらにキーの長押しでタイマー未設定「−−−」表示が所定時間（例えば、１０秒）継続した場合には、キーの異常と判断して加熱を停止させる。それによりより安全は加熱調理器とすることができる。
【００４０】
また、長押しの異常によりタイマー時間の増加が止まった際に、報知装置１４にて異常を報知する。このことにより、使用者がタイマー増加あるいは減少キーを押し続けてタイマー時間を合わせている際に、なぜ時間増加が停止したかを知らしめることができる。あるいは機器側から離れている場合にも機器に異常が起きていることを知らしめることができる。
【００４１】
なお、本実施の形態では、加熱装置を誘導加熱としたが、ガスやシーズヒータなどの熱源としてもよい。また、各キーは一般にスイッチ構成をとっているが、静電容量検知式のタッチキーとしても同様の効果が得られる。
【産業上の利用可能性】
【００４２】
以上のように、本発明にかかる加熱調理器は、設定時間の増減を可能とするとともに、長時間のタイマー設定を行いたい場合には、いち早く目的の設定時間に設定でき、タイマーの使い勝手を向上させることができるので、電子レンジ、ジャー炊飯器、ジャーポット、誘導加熱調理器、ガステーブル、ガス調理器具、ホームベーカリー、トースターなどのタイマー機能を有する機器においても適用できる。
【図面の簡単な説明】
【００４３】
【図１】本発明の実施の形態における加熱調理器の構成を説明するブロック図
【図２】同加熱調理器のタイマーキーによる表示動作を示す図
【図３】同加熱調理器のタイマーキーによる他の表示動作を示す図
【図４】同加熱調理器のタイマーキーによるさらに他の表示動作を示す図
【符号の説明】
【００４４】
１  商用電源
２  加熱装置
５  制御装置
６  操作部
７  タイマー時間表示装置
９  ダウンキー
１０  アップキー
１５  タイマーキー
【図１】
2008258047.tif 000003
【図２】
2008258047.tif 000004
【図３】
2008258047.tif 000005
【図４】
2008258047.tif 000006